(57)【要約】【課題】  従来のＩＣカードと異なる種類のＩＣカードが誤って挿入された場合においても、コネクタ端子の破損を防止できるＩＣカード用コネクタ装置を提供する。【解決手段】  第１のカードが挿着される収納部１ａを有するハウジング１と、収納部ａ１の一端側に配設され、第１のカードの接触部と接触可能なコネクタ端子２と、収納部１ａに挿着された第１のカードをカード排出位置まで排出する排出部材３、４とを備え、第１のカード７よりも前端部の厚さが厚い第２のカード８が収納部１ａに挿入された際には、第２のカード８の前端部がコネクタ端子２と接触する前に、第２のカード８の前端部に当接することにより第２のカード８の挿入を規制する規制手段３ａ、４ａを、ハウジング１の収納部１ａ内に設けた。【選択図】        図１０
2006059700.tif 000002
【特許請求の範囲】
【請求項１】
第１のカードが挿着される収納部を有するハウジングと、この収納部の一端側に配設され、前記第１のカードの接触部と接触可能なコネクタ端子と、前記収納部に挿着された前記第１のカードをカード排出位置まで排出する排出部材とを備え、前記第１のカードよりも前端部の厚さが厚い第２のカードが前記収納部に挿入された際には、前記第２のカードの前端部が前記コネクタ端子と接触する前に、前記第２のカードの前端部に当接することにより前記第２のカードの挿入を規制する規制手段を、前記ハウジングの収納部内に設けたことを特徴とするＩＣカード用コネクタ装置。
【請求項２】
前記規制手段を前記排出部材で構成し、前記第２のカードが前記収納部に挿入された時、前記排出部材が前記第２のカードの前端部と当接可能なように前記収納部内に配設したことを特徴とする請求項１記載のＩＣカード用コネクタ装置。
【請求項３】
前記排出部材は、互いに連動する第１の排出レバーと第２の排出レバーとを備え、前記第２のカードが前記収納部に挿入された時、前記第１の排出レバーと前記第２の排出レバーのうち、少なくともどちらか一方が前記第２のカードの前端部と当接して前記第２のカードの挿入を規制することを特徴とする請求項２記載のＩＣカード用コネクタ装置。
【請求項４】
前記第１の排出レバーと前記第２の排出レバーは、互いに連動して回動動作を行なうことにより、前記第１のカードが前記収納部に挿着され、挿着された前記第１のカードが排出位置まで排出されるものとされ、前記第２のカードが前記収納部に挿入された時には、前記第１及び第２の排出レバーの回動動作が防止されることにより前記収納部への挿着が規制されることを特徴とする請求項３記載のＩＣカード用コネクタ装置。
【請求項５】
前記第２のカードが前記収納部に挿入された時には、前記第１の排出レバーと前記第２の排出レバーのカード挿入側の外周端面が、前記第２のカードの前端部と当接するようにしたことを特徴とする請求項３、又は４記載のＩＣカード用コネクタ装置。
【発明の詳細な説明】
【技術分野】
【０００１】
本発明は、ＰＣ（パーソナルコンピュータ）などの情報端末機器などに用いられるＩＣカードに使用される、カード用コネクタ装置の構造に関する。
【背景技術】
【０００２】
ＩＣやメモリなどを組み込んだカードとしてはＩＣカードやメモリーカードなどが広く使用さるようになってきている。このＩＣカードやメモリカードなどと機器側の回路基板とを電気的に接続するためにカード用コネクタ装置が用いられている。
【０００３】
従来のＩＣカード用コネクタ装置には、カードを挿脱可能なケースにカードの排出機構を備えたものがあり、このカードの排出機構には、カードをコネクタ内に押し込んで挿着し、排出させる際に、プッシュロッドを押込むことにより排出レバーを回動させて、その一端でカードを押動して排出させる構成のものが知られている（例えば、特許文献１参照）。
【０００４】
以下、従来のＩＣカード用コネクタ装置の構造を図に基づいて説明する。
図１２及び図１３は従来のＩＣカード用コネクタ装置の構造を示し、図１２はＩＣカード用コネクタ装置の斜視図、図１３はＩＣカード用コネクタ装置の断面図である。
【０００５】
図に示すように、ＩＣカード用コネクタ装置は、絶縁本体１０と、この絶縁本体１０内に組付けられて前後方向へ延伸する複数の導電端子２０と、絶縁本体１０の上表面に突出する回転軸１０２とを含む。絶縁本体１０の両側には、それぞれ後方向へ延伸したガイドアーム１１を設置することにより、絶縁本体１０との間にＩＣカードを収容するための収容空間１２が形成される。
【０００６】
各導電端子２０は、いずれも絶縁本体１０の前端外部へ延出し、また各導電端子２０は、導電端子に略垂直し下方向へ延伸した接続部２０２が含まれる。各導電端子２０は、さらに溶接部２０４を有することで、接続部２０２の底端部から略垂直方向に延出する。
【０００７】
また、前記収容空間１２を構成するガイドアーム１１の内側に、ＩＣカードをガイドして挿入するために用いられる内ガイド装置１３が設置される。この内ガイド装置１３は溝状または条リブ状構造に形成してもよい。他に、ガイドアーム１１は、さらに外側に設けられた外ガイド装置１４を含むこともできる。
【０００８】
このＩＣカード用コネクタ装置は、さらに伝動板３０およびプッシュロッド４０を含む伝動装置５０が備えられる。伝動板３０は、絶縁本体１０の上表面に設けられ、略一平面板状の構造に形成される。その中部に絶縁本体の回転軸１０２上に嵌合され、絶縁本体１０に対する回転動できる軸孔３３が設けられる。伝動板３０の端部は突合せ部３２が設けられ、プッシュロッド４０に合わせて伝動板３０を駆動し回転させることができ、また他端はＩＣカードを押動するための伝動片３１が設けられる。
【０００９】
プッシュロッド４０は、移動可能にガイドアーム１１に設置することによって、該ガイドアーム１１上の外ガイド装置１４に合わせて、ガイドアーム１１方向に摺動する。プッシュロッド４０の前方向の端部４１に、伝動板３０の突合せ部３２と回転的な結合関係に形成できる突合せ口４２を設置することで、プッシュロッド４０が押されてガイドアーム１１に沿って移動する時、伝動板３０を連動して回転軸１０２の回りに回転動され、次第に伝動片３１を移動させ、コネクタ１内に収容されたＩＣカードを排出することができる。
【００１０】
【特許文献１】特開２００３−１６８５０３号公報
【発明の開示】
【発明が解決しようとする課題】
【００１１】
最近では、ＩＣカード用コネクタ装置に挿着して使用されるＩＣカードの種類が増え、従来のＩＣカード（ＰＣカード）に加えて、異なる種類のＩＣカード（エクスプレスカード）が開発されている。このエクスプレスカードは、カードの外形寸法は従来のＰＣカードと略同じに形成されているが、カードの先端部分の厚さが本体部分の厚さと同じで約５ｍｍあり、従来のＰＣカードの先端部分の厚さの約３．３ｍｍに対してやや厚く形成されている。また、幅寸法が狭い細幅タイプのものも開発されている。
このため、従来のＩＣカード用コネクタ装置に、従来のＰＣカードと異なる種類のエクスプレスカード、特に幅が狭い細幅タイプのものを挿着しようとして、誤って挿入した場合、各導電端子２０が、絶縁本体１０の収容空間１２に延出して設けられていることから、この導電端子２０に先端部分の厚さが厚いエクスプレスカードの先端部が接触してしまい、導電端子を破損させてしまうという問題があった。
【００１２】
したがって、本発明では上述した問題点を解決し、従来のＩＣカードと異なる種類のＩＣカードが誤って挿入された場合においても、コネクタ端子の破損を防止できるＩＣカード用コネクタ装置を提供することを目的とする。
【課題を解決するための手段】
【００１３】
上記課題を解決するために本発明では第１の解決手段として、第１のカードが挿着される収納部を有するハウジングと、この収納部の一端側に配設され、前記第１のカードの接触部と接触可能なコネクタ端子と、前記収納部に挿着された前記第１のカードをカード排出位置まで排出する排出部材とを備え、前記第１のカードよりも前端部の厚さが厚い第２のカードが前記収納部に挿入された際には、前記第２のカードの前端部が前記コネクタ端子と接触する前に、前記第２のカードの前端部に当接することにより前記第２のカードの挿入を規制する規制手段を、前記ハウジングの収納部内に設けた構成とした。
【００１４】
また、第２の解決手段として、前記規制手段を前記排出部材で構成し、前記第２のカードが前記収納部に挿入された時、前記排出部材が前記第２のカードの前端部と当接可能なように前記収納部内に配設した構成とした。
また、第３の解決手段として、前記排出部材は、互いに連動する第１の排出レバーと第２の排出レバーとを備え、前記第２のカードが前記収納部に挿入された時、前記第１の排出レバーと前記第２の排出レバーのうち、少なくともどちらか一方が前記第２のカードの前端部と当接して前記第２のカードの挿入を規制する構成とした。
また、第４の解決手段として、前記第１の排出レバーと前記第２の排出レバーは、互いに連動して回動動作を行なうことにより、前記第１のカードが前記収納部に挿着され、挿着された前記第１のカードが排出位置まで排出されるものとされ、前記第２のカードが前記収納部に挿入された時には、前記第１及び第２の排出レバーの回動動作が防止されることにより前記収納部への挿着が規制される構成とした。
また、第５の解決手段として、前記第２のカードが前記収納部に挿入された時には、前記第１の排出レバーと前記第２の排出レバーのカード挿入側の外周端面が、前記第２のカードの前端部と当接する構成とした。
【発明の効果】
【００１５】
上述したように、本発明のＩＣカード用コネクタ装置は、第１のカードが挿着される収納部を有するハウジングと、収納部の一端側に配設され、第１のカードの接触部と接触可能なコネクタ端子と、収納部に挿着された第１のカードをカード排出位置まで排出する排出部材とを備え、第１のカードよりも前端部の厚さが厚い第２のカードが収納部に挿入された際には、第２のカードの前端部がコネクタ端子と接触する前に、第２のカードの前端部に当接することにより第２のカードの挿入を規制する規制手段を、ハウジングの収納部内に設けたことから、第２のカードの前端部の厚さを利用して、挿入される第２のカードがコネクタ端子と接触する前に第２のカードの前端部が規制手段に当接するようにしたので、異なる種類のカードの誤挿入によるコネクタ端子の破損を防止することができる。
【００１６】
また、規制手段を排出部材で構成し、第２のカードが収納部に挿入された時、排出部材が第２のカードの前端部と当接可能なように収納部内に配設したことから、カードを排出するための排出部材で規制手段を構成したので、部品点数の削減が図れ、構造が簡易となる。
また、排出部材は、互いに連動する第１の排出レバーと第２の排出レバーとを備え、第２のカードが収納部に挿入された時、第１の排出レバーと第２の排出レバーのうち、少なくともどちらか一方が第２のカードの前端部と当接して第２のカードの挿入を規制することから、互いに連動する２つの排出レバーで幅広く第２のカードの挿入を規制できるので、第２のカードがコネクタ端子に接触するのを確実に防止することができる。
また、第１の排出レバーと第２の排出レバーは、互いに連動して回動動作を行なうことにより、第１のカードが収納部に挿着され、挿着された第１のカードが排出位置まで排出されるものとされ、第２のカードが収納部に挿入された時には、第１及び第２の排出レバーの回動動作が防止されることにより収納部への挿着が規制されることから、各排出レバーの回動動作が防止されることにより、第２のカードがコンタクト端子に接触する方向への移動が阻止されるので、第２のカードとコネクタ端子との接触を防止できる。
また、第２のカードが収納部に挿入された時には、第１の排出レバーと第２の排出レバーのカード挿入側の外周端面が、第２のカードの前端部と当接するようにしたことから、簡単な構造で、確実に第２のカードの移動を阻止することができる。
【発明を実施するための最良の形態】
【００１７】
以下、本発明の実施形態を図１乃至図１１に示す。図１は本発明のＩＣカード用コネクタ装置の平面図、図２は図１の２−２線における断面図、図３は第１のカードの平面図、図４は第１のカードの側面図、図５は第２のカードの平面図、図６は第２のカードの側面図、図７は第１のカード挿入途中を示す説明図、図８は第１のカード挿入完了時を示す説明図、図９は図８の９−９線における断面図、図１０は第２のカード挿入時を示す説明図、図１１は図１０の１１−１１線における断面図である。
【００１８】
図１、図２において、ハウジング１は、合成樹脂などの絶縁材からなり、内部に収納部１ａを有する略コ字状に形成されている。このハウジング１は、長方形状の基台部１ｂと、この基台部１ｂの両側から後方向に延伸する一対のガイドアーム部１ｃ、１ｃと、これらのガイドアーム部１ｃ、１ｃの延伸方向とは反対側に突出する一対の取付部１ｄ、１ｄとを有している。これらの取付部１ｄ、１ｄには丸孔１ｅ、１ｅが設けられており、ネジ等によって図示しない回路基板等に取り付けられるものとなっている。また、一対のガイドアーム部１ｃ、１ｃには、互いに対向する内側に挿入される後述する第１のカード７を案内するガイド溝１ｆ、１ｆが設けられている。
【００１９】
また、前記基台部１ｂには、前後方向に延伸する、複数のコネクタ端子２が配設されている。このコネクタ端子２は、導電性の金属部材からなり、その中央が前記基台部１ｂに固着されると共に、一端側が前記収納部１ａ内に延伸されて後述する第１のカード７の接触部に接続される接触端子２ａが設けられている。また、これに対向する他端側は、外方へ延伸されてＺ字状に屈曲されることにより、その先端に図示しない回路基板などの配線パターンに接続される接続端子２ｂが設けられている。
【００２０】
また、前記基台部１ｂの上面側には、収納部１ａに挿着された第１のカード７を排出する一対の第１及び第２の排出レバー３、４が回動可能に取り付けられている。この第１及び第２の排出レバー３、４は、平板状の金属板からなり、互いに連動して回動動作を行なうようになっており、その一端側が前記収納部１ａ内に延出するように配設されている。
【００２１】
第１の排出レバー３は、平板で長尺状に形成され、一端側には第１のカード７の前端部と係合する係合片３ａが設けられ、他端側には図示しないプッシュロッドと係合して回動動作される動作片３ｂが設けられている。また、第１の排出レバー３の略中央には、第２の排出レバー４と連動して回動動作が可能なように連結する一対の連結孔３ｃ、３ｃが設けられており、この連結孔３ｃ、３ｃと後述する第２の排出レバー４の一対の連結片４ｂ、４ｂが連結するようになっている。
【００２２】
また、前記連結孔３ｃ、３ｃと前記係合片３ａとの間には、回動中心となる支軸５が固着されており、この支軸５によって第１の排出レバー３が前記基台部１ｂに回動可能に軸支されている。また、第１の排出レバー３の長尺状の外周端面のうち、前記収納部１ａ内に配設されたカード挿入側の外周端面が、後述する第２のカード８の前端部と当接する当接面３ｄとなっている。
【００２３】
第２の排出レバー４は、同じく平板状に形成され、一端側には第１のカード７の前端部と係合する係合片４ａが設けられている。また、他端側には前記第１の排出レバー３の一対の連結孔３ｃ、３ｃと連結する一対の連結片４ｂ、４ｂが設けられている。また、前記係合片４ａと前記連結片４ｂ、４ｂとの間には、回動中心となる支軸６が固着されており、この支軸６によって第１の排出レバー４が前記基台部１ｂに回動可能に軸支されている。また、第２の排出レバー４の平板状の外周端面のうち、前記収納部１ａ内に配設されたカード挿入側の外周端面が、後述する第２のカード８の前端部と当接する当接面４ｃとなっている。
【００２４】
前記第１の排出レバー３と、前記第２の排出レバー４とは、前記支軸５及び６によって前記ハウジング１の基台部１ｂに連動して回動動作可能に取り付けられており、この場合、第１のカード７の前端部と係合する前記係合片３ａ、４ａが、互いに対向する反対側に位置されて配設された状態となっている。そして、収納部１ａに第１のカード７が挿入される時、及び排出される時には、第１及び第２の排出レバー３、４は支軸５、６を支点として、連結部の作用により互いに観音開き方向に回動動作するようになっている。
【００２５】
第１のカード７は、例えばＰＣカードからなり、図３及び図４に示すように、略方形状の外形をしており、前端部が全体の厚さ（約５ｍｍ）に対してやや薄く（約３．３ｍｍ）形成されている。この第１のカード７は、内部に集積回路（ＩＣ）が収納されており、ＰＣ等の情報端末機器の記録媒体などとして広く使用されているものである。この第１のカード７の前面側には、複数の外部接触部（図示せず）が形成されており、この外部接触部が前記ハウジング１の収納部１ａに配設された前記コネクタ端子２の接触端子２ａと接触することにより、外部に接続された電子機器との種々の情報処理が行われるものとなっている。
【００２６】
また、前記第１のカード７の前端部が、前記第１及び第２の排出レバー３、４の係合片３ａ、４ａとの当接部となっている。前記第１のカード７が前記収納部１ａに挿入された時、前記第１のカード７の前端部が前記第１及び第２の排出レバー３、４の係合片３ａ、４ａに当接することによって、前記第１及び第２の排出レバー３、４が前記第１のカード７の挿入に伴って、カード挿入方向へ回動するものとなっている。
【００２７】
第２のカード８は、例えばエクスプレスカードからなり、図５及び図６に示すように、前面側が一部、幅細となる略方形状をしており、この幅細の前端部が全体の厚さと略同じ厚さ（約５ｍｍ）に形成されている。そして、長さ寸法は前記第１のカード７に比べてやや短めになっているが、全体の幅寸法は前記第１のカード７と略同一の寸法となっている。また、この第２のカード８も、内部に集積回路（ＩＣ）が収納されており、ＰＣ等の情報端末機器の記録媒体などとして使用されるものである。
【００２８】
また、この第２のカード８の細幅部の前面側にも、複数の外部接触部（図示せず）が形成されており、この外部接触部がエクスプレスカード用コネクタ装置のコネクタ端子の接触端子と接触することにより、外部に接続された電子機器との種々の情報処理が行われるものとなっている。尚、エクスプレスカードには、この他にも、全体の幅寸法が細幅部と同じ幅に合わせた細幅タイプも開発されている。
【００２９】
次に、図７乃至図１１を用いて、前記第１及び第２のカード７、８がＩＣカード用コネクタ装置に挿入される場合について説明する。
まず、通常の第１のカード７（例えばＰＣカード）を挿入する場合には、図７に示すように、第１のカード７を、ハウジング１の一対のガイドアーム部１ｃ、１ｃの内側に設けられた一対のガイド溝１ｆ、１ｆに係合させて収納部１ａ内へ挿入する。この時、第１のカード７の前端部が、第２の排出レバー４の係合片４ａと係合して第２の排出レバー４を回動させながら収納部１ａ内へ挿入され、やがて第１の排出レバー３の係合片３ａとも係合して、第１の排出レバー３も回動されて、図８に示すように、第１のカード７が収納部１ａ内へ挿着されるものとなる。
【００３０】
この場合、図９に示すように、第１のカード７の前端部は、全体の厚さ（約５ｍｍ）に対してやや薄く（約３．３ｍｍ）形成されていることから、第１のカード７の前端部は、前記第１及び第２の排出レバー３、４の、収納部１ａ内に配設されたカード挿入側の外周端面からなる当接面３ｄ、４ｃとは当接せずに、収納部１ａの奥まで挿入され、接触部がコネクタ端子２の接触端子２ａと接触されるものとなり、種々の情報処理が行われるものとなっている。
【００３１】
この状態から、第１のカード７を排出するには、図示しないプッシュロッドを押し込むことにより、これに係合され回動動作する第１の排出レバー３の動作片３ｂが、カードの挿入方向（奥側）へ移動するのに伴い、第１及び第２の排出レバー３、４が支軸５、６を支点に回動し、第１のカード７の前端部と係合している互いの係合片３ａ、４ａが、カードの排出方向（手前側）に移動し、これによって第１のカード７が、カードの排出方向へ押圧され、第１のカード７が収納部１ａから排出されるものとなる。このように、第１の排出レバー３と第２の排出レバー４は、互いに連動して回動動作を行なうことにより、第１のカード７を収納部１ａに挿着し、また、挿着された第１のカード７を排出位置まで排出するものとなっている。
【００３２】
次に、異なる種類の第２のカード８（例えばエクスプレスカード）が挿入された場合には、図１０及び図１１に示すように、第２のカード８をハウジング１の一対のガイドアーム部１ｃ、１ｃの内側に設けられた一対のガイド溝１ｆ、１ｆに係合させて収納部１ａ内へ挿入する際に、第２のカード８の前端部の厚さが、通常のＰＣカードからなる第１のカード７の前端部の厚さに対して厚いことから、この前端部が前記第１及び第２の排出レバー３、４の、収納部１ａ内に配設されたカード挿入側の外周端面からなる当接面３ｄ、４ｃと当接することになり、第２のカード８の収納部１ａ内への挿入が規制（阻止）されるものとなる。
【００３３】
このように、異なる種類の第２のカード８が、収納部１ａに挿入された時には、第１及び第２の排出レバー３、４の回動動作が防止されることにより、収納部１ａへの挿着が規制されることから、各排出レバー３、４の回動動作が防止されることにより、第２のカード８がコンタクト端子２に接触する方向への移動が阻止されるので、第２のカード８とコネクタ端子２とが接触するのを防止することができるものとなっている。
また、第２のカード８が収納部１ａに挿入された時には、第１の排出レバー３と第２の排出レバー４のカード挿入側の外周端面が、第２のカード８の前端部と当接するようにしたことから、簡単な構造で、確実に第２のカード８の移動を阻止することができるものとなっている。
【００３４】
この場合、前記第１及び第２の排出レバー３、４は、一対の連結孔３ｃ、３ｃと一対の連結片４ｂ、４ｂとの連結によって互いに連動して動作するように形成されており、前記第２のカード８が前記収納部１ａに挿入される際には、前記第１の排出レバー３と前記第２の排出レバー４の外周端面からなる当接面３ｄ、４ｃうち、少なくともどちらか一方が前記第２のカード８の前端部と当接して第２のカード８の挿入を規制するようになっている。
このため、互いに連動する２つの排出レバーで幅広く第２のカード８の挿入を規制できるので、例え幅寸法の細い細幅タイプのエクスプレスカードが誤って挿入された場合においても、第２のカード８がコネクタ端子２に接触するのを確実に防止することができるものとなっている。
【００３５】
すなわち、通常の第１のカード７以外の、異なる種類の第２のカード８が収納部１ａに挿入された場合には、規制手段である第１及び第２の排出レバー３、４の当接面３ｄ、４ｃによって、第２のカード８の前端部が当接され、その挿入を規制することにより、ＩＣカード用コネクタ装置のコネクタ端子の破損を防止することができるものとなっている。
【００３６】
このように、規制手段を排出部材である第１及び第２の排出レバー３、４で構成し、通常の第１のカード７以外の、異なる種類の第２のカード８が収納部１ａに挿入された時、第１及び第２の排出レバー３、４の当接面３ｄ、４ｃが第２のカード８の前端部と当接可能なように収納部１ａ内に配設したことから、カードを排出するための排出部材で規制手段を構成したので、部品点数の削減が図れ、構造が簡易となっている。
【００３７】
上記した本発明の実施例によれば、第１のカード７が挿着される収納部１ａを有するハウジング１と、この収納部１ａの一端側に配設され、第１のカード７の接触部と接触可能なコネクタ端子２と、前記収納部１ａに挿着された第１のカード７をカード排出位置まで排出する第１及び第２の排出レバー３、４とを備え、前記第１のカード７よりも前端部の厚さが厚い第２のカード８が前記収納部１ａに挿入された際には、この第２のカード８の前端部が前記コネクタ端子２と接触する前に、第２のカード８の前端部に当接することにより第２のカード８の挿入を規制する規制手段としての当接部３ａ、４ａを、前記第１及び第２の排出レバー３、４に設けたことから、前記第２のカード８の前端部の厚さを利用して、挿入される第２のカード８が前記コネクタ端子２と接触する前に、前記第２のカード８の前端部が、前記規制手段である前記第１及び第２の排出レバー３、４の当接部３ａ、４ａに当接するようにしたので、異なる種類のカードの誤挿入による前記コネクタ端子２の破損を防止することができるものとなっている。
【図面の簡単な説明】
【００３８】
【図１】本発明のＩＣカード用コネクタ装置を示す平面図である。
【図２】本発明の図１の２−２線における断面図である。
【図３】本発明の第１のカードを示す平面図である。
【図４】本発明の第１のカードを示す側面図である。
【図５】本発明の第２のカードを示す平面図である。
【図６】本発明の第２のカードを示す側面図である。
【図７】本発明の第１のカード挿入途中を示す説明図である。
【図８】本発明の第１のカード挿入完了時を示す説明図である。
【図９】本発明の図８の９−９線における断面図である。
【図１０】本発明の第２のカード挿入時を示す説明図である。
【図１１】本発明の図１０の１１−１１線における断面図である。
【図１２】従来のＩＣカード用コネクタ装置を示す斜視図である。
【図１３】従来のＩＣカード用コネクタ装置を示す断面図である。
【符号の説明】
【００３９】
１：ハウジング
１ａ：収納部
１ｂ：基台部
１ｃ：ガイドアーム部
１ｄ：取付部
１ｅ：丸孔
１ｆ：ガイド溝
２：コネクタ端子
２ａ：接触端子
３ｂ：接続端子
３：第１の排出レバー（排出部材）
３ａ：係合片
３ｂ：動作片
３ｃ：連結孔
３ｄ：当接面（規制手段）
４：第２の排出レバー（排出部材）
４ａ：係合片
４ｂ：連結片
４ｃ：当接面（規制手段）
５：支軸
６：支軸
７：第１のカード
８：第２のカード
【図１】
2006059700.tif 000003
【図２】
2006059700.tif 000004
【図３】
2006059700.tif 000005
【図４】
2006059700.tif 000006
【図５】
2006059700.tif 000007
【図６】
2006059700.tif 000008
【図７】
2006059700.tif 000009
【図８】
2006059700.tif 000010
【図９】
2006059700.tif 000011
【図１０】
2006059700.tif 000012
【図１１】
2006059700.tif 000013
【図１２】
2006059700.tif 000014
【図１３】
2006059700.tif 000015